(57)【特許請求の範囲】
【請求項１】
建造物のコーナー部分に設置され、基台部と立ち上がり面からなる出隅用土台水切であって、
前記基台部は上面、側面、底面からなる断面コの字状であり、基台上面において中央重ねしろを残してその両側を各々切除し、
前記切除部分から両側の基台を折曲したとき、前記中央重ねしろとその両側の基台上面とが少なくとも一部で重なり合うように組み合わせることができ、
前記立ち上がり面は各々の基台上面から連続して上方へ立ち上がっており、一方の立ち上がり面と他方の立ち上がり面とを係合する係合部を設け、
係合部は、組み合わせ時に上側に重ねられた基台上面から連続する立ち上がり面の中央側側面に配置される係合重ねしろと、下方に重ねられた基台上面から連続する立ち上がり面の中央側側面に配置される係止片とからなり、
係止片は重ねしろより上方に配置し、止め片の下端と係合重ねしろの上端とを係合することを特徴とする出隅用土台水切。
【請求項２】
中央重ねしろは、基台上面の奥行き長さと同じ長さであることを特徴とする請求項１に記載の出隅用土台水切。
【請求項３】
基台部の底面において、一方の基台ともう一方の基台との間に各々切欠を有し、一方の基台底面は長方形状の面であり、もう一方の基台底面は長方形状の面からそのコーナー部を切除した形状であり、
各々の切欠の間に底面重ねしろを配置し、
底面重ねしろは基台部底面よりも短いことを特徴とする請求項１または２のいずれかに記載の出隅用土台水切。
【発明の詳細な説明】
【技術分野】
【０００１】
本発明は、建造物の基礎と土台との間に雨水などが侵入することを防止するための土台水切であって、特に建造物のコーナー部分に設置するための出隅用の土台水切に関する。
【背景技術】
【０００２】
従来の出隅用土台水切は、建造物のコーナー部分に設置するために直角に形成され、角部分は面取りがなされておらず、設置した建造物の土台水切の角部分に子供や老人が接触し、怪我をすることが多かった。
そこで、角部分を面取りする技術が提案されている(例えば、特許文献１参照)。しかしながら、特許文献１に記載の発明は面取り部分を基盤の下面からリベットで固定するものであり、施工が煩雑なものであった。
【０００３】
【特許文献１】特開２００４−２５１０２６号公報(第１頁、第１図)
【発明の開示】
【発明が解決しようとする課題】
【０００４】
そこで、本発明にかかる出隅用土台水切は、建造物のコーナーの土台水切であって、角部分が面取り形状となるもので使用者や居住者の安全に資するとともに、リベットなど別途固定部材が必要でないので施工が簡便であり、しかも、角部分の上面が相当の強度を有する出隅用土台水切を提供するものである。
【課題を解決するための手段】
【０００５】
本発明の出隅用土台水切は、建造物のコーナー部分に設置され、基台部と立ち上がり面からなる出隅用土台水切であって、前記基台部は上面、側面、底面からなる断面コの字状であり、基台上面において中央重ねしろを残してその両側を各々切除し、前記切除部分から両側の基台を折曲したとき、前記中央重ねしろとその両側の基台上面とが少なくとも一部で重なり合うように組み合わせることができ、前記立ち上がり面は各々の基台上面から連続して上方へ立ち上がっており、一方の立ち上がり面と他方の立ち上がり面とを係合する係合部を設け、係合部は、組み合わせ時に上側に重ねられた基台上面から連続する立ち上がり面の中央側側面に配置される係合重ねしろと、下方に重ねられた基台上面から連続する立ち上がり面の中央側側面に配置される係止片とからなり、係止片は重ねしろより上方に配置し、止め片の下端と係合重ねしろの上端とを係合することを特徴とするものである。
【０００６】
また、本発明の出隅用土台水切の中央重ねしろは、基台上面の奥行き長さと同じ長さであることが好ましい。
【０００７】
また、本発明の出隅用土台水切の基台部の底面において、一方の基台ともう一方の基台との間に各々切欠を有し、一方の基台底面は長方形状の面であり、もう一方の基台底面は長方形状の面からそのコーナー部を切除した形状であり、各々の切欠の間に底面重ねしろを配置し、底面重ねしろは基台部底面よりも短いことが好ましい。
【発明の効果】
【０００８】
請求項１にかかる発明により、建造物のコーナーに設置する出隅用土台水切の角部分が面取り形成されることで、設置者や居住者などが角部分にあたり怪我することなく安全を資することができる。
また、基台部の面取り形成された角部分は三枚重ねとなっているので、他の固定具を使用することなく、コーナーの角部分を設置することができる。しかも、コーナーの角部分を基台上面、中央重ねしろ、基台上面と３枚重ねの上面としているので、コーナーの角部分の上面の高い強度を担保することが可能になる。
また、本発明の出隅用土台水切はコーナーの角部分を３枚重ねの上面を形成するので、最も上側に位置する基台から連続する立ち上がり面は上方向へ押し上げられる力が作用するところ、立ち上がり面の係合部として上に押し上げられる立ち上がり面の係合重ねしろ上端と他方の立ち上がり面からの係止片の下端とを係合させることで、係止片が押し上げられる立ち上がり面を押さえ込み、面の上昇を抑えることができる。
【０００９】
請求項２にかかる発明により、中央重ねしろが基台部上面と同程度の長さを有することで、本発明の出隅用土台水切を折りたたんで組み合わせたときに、角部分の上面を十分に覆うことができる。特に本発明は３枚の上面を折りたたんでリベットなどの固定具なしに角部分の上面を構成することができるので、中央重ねしろを長い構成にすることによって、角部分の上面の強度を担保することができ、固定具なしに固定することが可能になる。
【００１０】
請求項３にかかる発明により、基台部の底面において、底面重ねしろに長方形状の一方の基台底面を重ねることは、重ねあわせが容易になる。そして、そのうえに長方形状の面からコーナー部分を切除した切除部分を有する他方の基台底面を重ね合わせることで見栄えのよい底面とすることができる。
特に本発明にかかる出隅用土台水切は展開した状態から折りたたんで使用し、上面の強度を担保するために、角部分は３枚の上面を重ねる構成や係合部による係合をなすので、底面例はより組み立て易くすることが好ましい。そこで、底面重ねしろを小さくし、一方の基台底面を長方形状の面にすることで容易に基台部の底面側をより組み合わせる易くし、出隅用土台水切全体の組み合わせをより容易ならしめた。
【実施例】
【００１１】
本発明の実施の一例を図面に沿って詳細に説明する。
図１は本発明の出隅用土台水切１の展開した状態を示すものであり、図２は出隅用土台水切１を折りたたんで組合わせた状態を示すもので、図３は図２の係止片を折りたたんだ状態を示す図４、図５は本発明の第２実施例を示すものであり、図６は出隅用土台水切１を展開した状態で底面側から見たものであり、図７は出隅用土台水切１を折りたたんで組み合わせた状態を底面側から見たものである。
【００１２】
図８に示すように、土台水切１０１は建造物の基礎１０２と土台１０３との間に雨水などが侵入することを防ぎ、床下の湿気などから土台が腐ることを防止するために設置するものである。
土台水切１０１は建造物の基礎１０２と土台１０３との間に設置するものであり、通常は土台水切１０１の重ねしろ部分１０４を土台１０３の表面に設置される壁材に重ね合わせるようにして取り付ける。本実施例にかかる出隅用土台水切１は、特に建築物のコーナー部分に設置するためのものである。出隅用土台水切１は、通常の土台水切１０１がコーナー位置にまで設置されている状態で、図８の矢印線Ｚ、Ｚに示すように、そのコーナー部分で土台水切１０１に重ねて嵌め込むように設置される。
【００１３】
本実施例にかかる出隅用土台水切１は展開した状態で製造され、使用者や施工者がコーナー部分に嵌め込むときに折りたたんで使用しえる状態にする。図１は出隅用土台水切１の展開された状態、図２は基台部２を折りたたんだ状態、図３は図２から係止片８を折りたたんで完全に組み合わせた状態を示す。設置する場合、図３に示すように完全に組合せた出隅用土台水切を、建造物のコーナーに通常の土台水切に嵌め込んで使用する。
【００１４】
図１、２、３に示すように、本実施例にかかる出隅用土台水切１は基台部２と立ち上がり面３ａ、３ｂとからなる。基台部２は上面と側面と底面とからなる断面略コの字状に鋼板を成型したものである。基台部２は、図１の基点５ａ、５ａから５ｂ、５ｂへの折りたたみ線Ａ、Ａに沿って、手前側の基台２ａと奥側の基台２ｂと中央基台２ｃとからなる。
なお、折りたたみ線Ａ、Ａは図面の説明のために便宜上、示すものである。
【００１５】
基台２ａ、基台２ｂと中央基台２ｃの上面は５ａ、５ａを基点としてＶ字状に各々切除され、切除部分４、４が形成されている。切除部分４、４の間に中央重ねしろ６が形成される。切除部分４、４の切り欠きの度合いは、後述のように、折りたたみ時に基台２ａ、２ｂの両上面と中央重ねしろ６とが、少なくとも一部分において重なり合う状態となる程度に切除部分を設けることが必要で、５ａ、５ａを基点とする基台２ａ、２ｂ側の切除は、折り返し線Ａ、Ａに対して約２５ないし３５度の切欠とすることが好ましい。
【００１６】
中央重ねしろ６は５ａ、５ａを基点として切除部分４、４が形成された間に形成される。中央重ねしろは基台２ａ、２ｂの上面の奥行き長さとほぼ同じ長さを有する。
後述のように、折りたたみ時に基台部の中央基台２ｃの側面が出隅用土台水切１の角の面取り部分となり、使用者や利用者の安全等を考慮した面取り部分としての機能を果たす必要性がある。そこで、角が取れて接触した場合の安全性を担保する機能を発揮するため、中央重ねしろ６の幅、つまり基点５ａ、５ａ間距離は一定以上、全体長さが約300ｍｍであるのに対して10ｍｍ程度の重ねしろを設けることが必要である。
【００１７】
基台２ａ、２ｂの上面の基点５ａ、５ａがある辺と反対側の辺から垂直方向へ連続して立ち上がり面３ａ、３ｂを形成する。２つの立ち上がり面３ａ、３ｂのうち立ち上がり面３ａ側に係合重ねしろ７が配置されている。もう一方の立ち上がり面３ｂ側に係止片８が配置されている。
係合重ねしろ７は立ち上がり面３ａのうち前記切除部分４が設けられている内側端縁に折り曲げた状態で配置され、係止片８は重ねしろ７の上端と係合させ得る高さのところに配置されている。これにより折りたたんだときに重ねしろ７の上端と係止片８の下端とが係合する。
係止片８は立ち上がり面３ｂの上端付近から突出する突出片として形成されている。図２に示すように、係止片８は折り返し可能な片であり、係合重ねしろ７と係合する下端に平坦な辺を形成する。これにより、係合重ねしろ７との係合が容易になり、立ち上がり面２ａの押し上げを止めて、組合わせ状態を保持することが可能になる。
【００１８】
図２は本実施例にかかる出隅用土台水切１の基台部２を折りたたんだ状態を示す。折りたたみ方法は基台部２の基点５ａ、５ａから基点５ｂ、５ｂまでの折りたたみ線Ａ、Ａ（仮相線）を支点として基台２ａ、２ｂを、出隅用土台水切１が直角になるように折りたたむ。この場合に、基台２ｂの内方側上面に、中央重ねしろ６が上から重なり、その上から基台２ａの内方側上面が重なるように折りたたむ。すると、基台２ｂの上面、中央重ねしろ６、基台２ａの上面が、少なくとも一部で３枚重ねとなるように組合わせることができる。
この構成により、出隅用土台水切１を折りたたむことにより、折りたたみ線Ａ、Ａ間の中央基台２ｃの側面が、直角の出隅用土台水切１を面取りをした状態となり、建造物に適用したとき角張った土台水切に接触して怪我を負うことなどが防止され、安全な出隅用土台水切１を提供することができる。
また、基台２ｂの上面、中央重ねしろ６、基台２ａの上面とが、少なくとも一部で３枚重なるようにすることで角部分の強度が増し、折りたたみ時にリベット、釘等の取付部材を使用することなく、面取りされた角部分を提供することができる。
【００１９】
本実施例にかかる出隅用土台水切１を折りたたんだ状態では、図３に示すように、係合重ねしろ７と係止片８による係合部材により折りたたみ状態を保持することができる。つまり、係合重ねしろ７を立ち上がり面３ｂの表面に係合し、係止片８を折り曲げて立ち上がり面３ａの表面に係合することにより、折りたたみ状態を保持することができる。 しかも、本実施例にかかる出隅用土台水切１の角部分においては、基台２ｂの上面、中央重ねしろ６、基台２ａの上面とが、少なくとも一部で３枚重なっているので、最も上側に位置する基台２ａ上面から連続する立ち上がり面３ａに垂直方向へ押し上げられる力が作用する。そこで、垂直方向へ押し上げられる立ち上がり部３ａに配置された係合重ねしろ７の上端と係止片８の下端とを係合することで、係止片８により垂直方向への押し上げを止めることができ、同一高さの立ち上がり面３ａ、３ｂを有する出隅用土台水切１を提供することができる。
なお、係合重ねしろ７と係止片８は他方の立ち上がり面３ｂ、３ａの表面に重なり合い、組み合わせた状態から再び展開状態へと反発する力が作用するのを防止して組み合わせた状態を維持することができる機能を有する。
また、係止片８は立ち上がり面の上辺を折り返す構成も考えられるが、折り返すという製造上の工程が増えること、係合重ねしろ７を挿入しなければならなくなり組合わせることが容易でなくなる。本実施例にかかる係止片８は突出した片を折り返して係合重ねしろと組合せばよく、簡易な係合が可能になり、全体の組合わせが容易になるメリットがある。
【００２０】
図６に示すように、本実施例にかかる出隅用土台水切１の基台部２の底側は、基台２ａの底面、基台２ｂの底面と底面重ねしろ１１とからなる。
基点５ｂ、５ｂから奥に向けて切り欠かれており、両切欠１０、１０間には底面重ねしろ１１が配置されている。
基台２ａの底面は基点５ｂまでを長辺、奥行き長さを短辺とする長方形状に形成されている。一方、基台２ｂの底面は基点５ｂから奥行き長さを一定幅としたうえで、前記切欠１０に向けて４５度の角度で切除されている切除部分９を有している。
この場合には、基台２ｂの底面側を折りたたみ線Ａから折りたたんだとき、底面重ねしろ１１の幅方向の中央線上に前記切除部分による基台２ｂ底面の傾斜辺を位置させることができ、底面重ねしろ１１と同方向になるので、意匠上好ましい折りたたみ形状となる。
底面重ねしろ１１は基台部上面の中央重ねしろ６に対して短く形成されている。重ねしろ６に対して底面重ねしろ１１はおよそ３分の１程度の長さにするとよい。
【００２１】
このように、一方の基台２ａの底面を長方形状とし、もう一方の基台２ｂの底面に切除部分９を形成し、底面重ねしろ１１を短くしたことで基台部２の底面側を折りたたんで組み合わせるのを簡単に行うことができる。
すなわち、図７に示すように底面重ねしろ１１に基台２ａの底面を重ね合わせ、そのうえに基台２ｂの底面を重ね合わせる。すると、基台２ａの底面は長方形状をしているので底面重ねしろ１１を確実に押さえることができ、そのうえから大きな切除部分９を有する基台２ｂの底面を重ね合わせることになるので、重ね合わせることが容易になり、なおかつ前述のように見栄えがよい底面を実現することができる。このようにして、基台部２の底面側の重ねあわせを容易にすることが可能になる。
また、基台部２の側面と底面との接続部分である辺の角を丸めて突出辺１２とした場合には、使用時に底面の水分が底面を伝って建造物の内方に浸入するのを防止することができる。
【００２２】
図４，５に本実施例の出隅用土台水切１の第二実施例を示す。
図４に示すように、第二実施例は、重ねしろ７に対して係止片８ａ、８ｂが上下に配置されている。重ねしろ７の上端に上側の係止片８ａの下端が係合し、重ねしろ７の下端に下側の係止片８ｂの上端が係合する。
図５に示すように、基台２ａ上面から連続する立ち上がり部３ａに垂直方向へ押し上げられる力に対して二つの係止片８ａ、８ｂを折りたたんで固定することができるので、第一実施例より垂直方向への押し上げを止めることができる。
【図面の簡単な説明】
【００２３】
【図１】本発明の出隅用土台水切の第１の実施例を展開した状態で示す斜視図である。
【図２】図１に示す出隅用土台水切を折りたたんで組合わせた状態を示す斜視図である。
【図３】図２に示す組み合わせ状態から係止片を折りたたんだ状態を示す斜視図である。
【図４】本発明の出隅用土台水切の第２の実施例を折りたたんで組合わせた状態で示す斜視図である。
【図５】図４に示す状態から係止片を折りたたんだ状態を示す斜視図である。
【図６】本発明の出隅用土台水切の第１の実施例の展開した状態であって、その底面を示す斜視図である。
【図７】出隅用土台水切の折りたたんで組み合わせた状態であって、その底面を示す斜視図であって、図６に示す出隅用土台水切を反転した状態を示す。
【図８】図２に示す出隅用土台水切の設置状況を示す斜視図である。
【符号の説明】
【００２４】
１…出隅用土台水切
２…基台部
３…立ち上がり面
４…切除部分
５ａ…基点
５ｂ…基点
６…中央重ねしろ
７…係合重ねしろ
８…係止片
８ａ…係止片
８ｂ…係止片
９…切除部分
１０…切欠
１１…底面重ねしろ
１２…突出辺
１０１…土台水切
１０２…基礎
１０３…土台
１０４…重ねしろ部分
Ａ…折りたたみ線
Ｚ…嵌め合わせ線
【図１】
0005121356.tif 000002
【図２】
0005121356.tif 000003
【図３】
0005121356.tif 000004
【図４】
0005121356.tif 000005
【図５】
0005121356.tif 000006
【図６】
0005121356.tif 000007
【図７】
0005121356.tif 000008
【図８】
0005121356.tif 000009